(57)【要約】  安全装置が設けられており、該安全装置が、インクのための少なくとも１つの収容チャンバ（５，６）と、有価物容器の少なくとも１つのパラメータを検出し、測定されたパラメータに依存して収容チャンバ（５，６）から有価物容器内に液体を放出するための測定／起動装置とを有している形式の、有価証券を収容するためのカセット式の有価物容器（１）は、少なくとも１つの収容チャンバ内の液体（７）内に振動を励起するための、安全装置に対応配置された少なくとも１つの起振装置（１４）により特徴付けられる。測定／起動装置はその際、少なくとも１つの振動パラメータを検出し、測定された振動パラメータに依存して収容チャンバ（５，６）から内室（２）内に液体を放出するために設計されている。
2007520652.tif 000002
【特許請求の範囲】
【請求項１】
有価証券を収容するための内室（２）を備えたカセット式の有価物容器（１）であって、
ａ）安全装置が設けられており、該安全装置が、
ａ１）液体（７）、特にインクのための少なくとも１つの収容チャンバ（５，６）と、
ａ２）有価物容器の少なくとも１つのパラメータを検出し、測定されたパラメータに依存して収容チャンバ（５，６）から有価物容器内への液体（７）の放出をトリガするための測定／起動装置と
を有している形式のものにおいて、
ｂ）少なくとも１つの収容チャンバ（５，６）内の液体（７）内に振動を励起するための、安全装置に対応配置された少なくとも１つの起振装置（１４）が設けられており、
ｃ）測定／起動装置が、少なくとも１つの振動パラメータを検出し、測定された振動パラメータに依存して収容チャンバ（５，６）から内室（２）内に液体を放出するために設計されている
ことを特徴とする、安全装置を備えた、有価証券を収容するためのカセット式の有価物容器。
【請求項２】
少なくとも１つの収容チャンバが有価物容器のハウジングのすべての面に形成されており、少なくとも１つの収容チャンバ（５，６）または複数の収容チャンバ（５，６）のうちの１つに進入することなく有価物容器の壁（８，１２）を通して工具を内室（２）内にまで差し込むことが不可能であるようになっている、請求項１記載の有価物容器。
【請求項３】
測定／起動装置が測定／制御コンピュータ（１３）を有している、請求項１または２記載の有価物容器。
【請求項４】
測定／起動装置が、少なくとも１つの収容チャンバ（５）内に配置されているセンサ素子（１５）および起振装置（１４）を有している、請求項１または２記載の有価物容器。
【請求項５】
少なくとも１つの起振装置（１４）および／またはセンサ素子（１５）がピエゾアクチュエータとして形成されている、請求項１から４までのいずれか１項記載の有価物容器。
【請求項６】
ピエゾアクチュエータがピエゾフィルムとして形成されている、請求項１から５までのいずれか１項記載の有価物容器。
【請求項７】
ピエゾフィルムが有価物容器の全壁を、不正な有価証券取り出しのための機能領域までカバーする、請求項１から６までのいずれか１項記載の有価物容器。
【請求項８】
有価物容器の少なくとも１つまたは複数の壁（８，１２）が、液体（７）を収容するための内部中空チャンバ（１０，１１）を形成する二重壁として形成されている、請求項１から７までのいずれか１項記載の有価物容器。
【請求項９】
有価物容器（１）がベース容器（３）と、該ベース容器（３）を閉鎖する蓋（４）とを有している、請求項１から８までのいずれか１項記載の有価物容器。
【請求項１０】
有価物容器（１）が熱可塑性の方法により製作されている、請求項１から９までのいずれか１項記載の有価物容器。
【発明の詳細な説明】
【技術分野】
【０００１】
本発明は、安全装置を備えた、有価証券（Ｗｅｒｔｓｃｈｅｉｎ）を収容するためのカセット式の有価物容器（Ｗｅｒｔｋａｓｓｅｔｔｅ）であって、安全装置が、液体、特にインクのための収容チャンバと、有価物容器の少なくとも１つのパラメータを検出し、測定されたパラメータに依存して収容チャンバから内室内への液体の放出をトリガするための測定／起動装置とを有している形式のものに関する。
【０００２】
安全装置を備えたこの種の有価物容器は自体公知である。公知のシステムはただし相対的に手間のかかる構成をしている。それというのも、公知のシステムは一般に、事後的に既存のカセット内に組み込まねばならない後付けシステムとして装備されているからである。液体、例えばインクとして、こじ開けが試みられた際に有価物容器内の盗難された有価証券を使用不能にしてしまうように構成されている液体はその際一般に、有価物容器内に装入される別個の容器内に注入される。その際、有価物容器の幾何学形状は、液体が直接有価証券内に流入し得るように設計されねばならない。このことは問題を伴う。
【０００３】
液体の流出をトリガするために、システムのパラメータ、例えば温度または抵抗を測定し、目標値からの特徴的な偏差が生じると、インクの流出をトリガすることが知られている。この方法自体は確かに実証されてはいるが、安全装置を、簡単な構造形式で確実に、こじ開け試行を示す僅かなパラメータ変化にも反応するように改良することが望ましい。
【０００４】
この問題の解決が本発明の課題である。
【０００５】
本発明はこの課題を請求項１の対象により解決する。
【０００６】
請求項１によれば、安全装置に、少なくとも１つの収容チャンバ内の液体内に振動を励起するための少なくとも１つの起振装置が対応配置されており、測定／起動装置が、少なくとも１つの振動パラメータを検出し、測定された振動パラメータに依存して収容チャンバから有価物容器内に液体を放出するために設計されている。
【０００７】
この構成は以下の利点を有している。振動／共振系「液体を有する有価物容器」内での特性変化はこじ開け試行時に、例えば体積、圧力および／または温度の変化により惹起されることができる。この特性変化は、例えば冒頭で説明した背景技術で挙げたパラメータの直接的な検出時に可能であるよりもかなり高精度に検出かつ評価され得る振動パラメータの変化にも至る。
【０００８】
請求項１とは独立的に観察してもよい有利な構成では、少なくとも１つの収容チャンバが有価物容器のハウジングのすべての面に形成されており、少なくとも１つの収容チャンバまたは複数の収容チャンバのうちの１つに進入することなく壁を通して工具を有価物容器の内室内にまで差し込むことが不可能であるようになっている。この構成は、流入させねばならない液体が常に有価物容器のすべての内容物にこじ開け試行時に到達することを保証することを簡単化すると共に、請求項１および請求項２のような設計時に、振動パラメータの確実な測定を簡単化する。
【０００９】
有利には、測定／起動装置に測定／制御コンピュータが対応配置されており、かつ測定／制御コンピュータにやはり起振装置およびセンサ素子が、測定したい振動の発生および検出のために、少なくとも１つの収容チャンバ内に対応配置されている。
【００１０】
その際、コスト上の理由からかつ高い機能安全性の保証のため、少なくとも１つの起振装置および／またはセンサ素子がピエゾアクチュエータ、特にピエゾフィルム（Ｐｉｚｏｆｏｌｉｅ）として形成されているとよい。
【００１１】
別の有利な構成はその他の従属請求項に見て取れる。
【００１２】
以下に本発明の実施例について図面を参照しながら詳細に説明する。
図１：有価物容器を簡単に示す概略断面図である。
【００１３】
図１には、有価証券（ここでは図示せず）を内室２内に収容するためのカセット式の有価物容器１が示されている。有価物容器１はここでは、１つのベース容器３と、ベース容器３を閉鎖する１つの蓋４とから成っている。
【００１４】
ベース容器３ならびに蓋４はそれぞれ、インクのような液体７のための収容チャンバ５，６を有している。ベース容器３の収容チャンバ５はその際有利には、いずれの側からも直線的な経路が内室２に通じていないように形成されている。その結果、有価物容器の壁８を通して例えばニードルまたは小さなグリッパを差し通し、有価証券を盗むことは不可能である。
【００１５】
このことはここでは、ほぼすべての壁８が例えば小さなウェブ９まで、内部中空室１０を備えた二重壁として形成されており、この内部中空室１０がインクで満たされ、収容チャンバ５を形成していることにより達成される。内部中空室１１を備えた二重壁としての相応の構成を蓋４の壁１２が有している。特に熱可塑性の有価物容器ハウジングの内部中空室１０，１１は直接製作時に液体７で満たされる。その結果、製作は安価である。
【００１６】
図１のスケッチに基づき、例えば蓋４とベース容器３との間の縁領域において直線的な経路で内室に到達することは、理論的には可能であるにしろ、この領域でのチャンバ５，６のオーバーラップにより、実際にはただし簡単に阻止されることができる。例えば、蓋４を旋回可能にベース容器３に配置し（ここでは図示せず）、かつベース容器３および蓋４に設けられた収容チャンバ５，６を流れ技術的に互いに接続することも考えられる。図１はこの点でむしろ概略的なものと理解されるべきであり、発明の原理を明瞭にするために役立つ。
【００１７】
有価物容器からの有価証券の不正な取り出しに対する安全装置は、収容チャンバ５，６の他に、ここでは純粋に概略的に示した測定／起動装置を有している。測定／起動装置は有価物容器１の少なくとも１つのパラメータを検出し、測定されたパラメータに依存して収容チャンバ５，６から有価物容器１の内室２内への液体７の放出をトリガするために役立つ。
【００１８】
ここでは測定／起動装置は測定／制御コンピュータ１３を有している。測定／制御コンピュータ１３は一方で、収容チャンバ５内に設けられ、収容チャンバ５内の液体７内に振動を励起するために設計されている少なくとも１つの起振装置１４に接続されており、他方で、やはり収容チャンバ５内に配置されており、少なくとも１つの振動パラメータを検出するために役立つセンサ１５に接続されている。
【００１９】
測定／制御コンピュータ１３、例えばマイクロプロセッサを備えたコンパクトなコンピュータユニットは直接有価物容器１内に統合されていてもよい。内室２内へのインク７の流出をトリガするために、測定／制御コンピュータ１３はここでは小さな発破装置（Ｅｘｐｌｏｓｉｖｌａｄｕｎｇ）１６に接続されている。発破装置１６は、二重壁の内側の壁１７をトリガ時に破壊し、その結果、インクを内室２内に流出させるように設計されている。
【００２０】
相応の装置は蓋４内に配置されていることができる（ここでは図示せず）。複数の収容チャンバ５，６が設けられている場合、各チャンバは１つの起振装置と、１つのセンサと、１つの発破装置とを有していることができる。その際、測定／制御コンピュータ１３は１つだけ存在している。発破装置として、例えば車両のエアバッグシステムから原理的に公知であるようなアクチュエータが適している。その結果、内壁の広範囲の破壊が保証される。ただし、発破装置はＣＯ２カートリッジまたは形状記憶金属であってもよい。
【００２１】
起振装置１４として、特にピエゾアクチュエータ、例えばピエゾフィルムが適している。ピエゾアクチュエータは同時にセンサ１５を形成するもしくは共振系「インク−有価物容器」から生じる特徴的な振動のためのセンサ１５として役立つこともできる。ピエゾフィルムは有価物容器の壁の部分領域にのみ、または有利にはすべての壁に、例えば現金自動預け払い機（Ｇｅｌｄａｕｔｏｍａｔ）のような上位の自動装置内での組付け状態での不正な取り出しのための機能領域まで配置されていることができる（ここでは図示せず）。
【図面の簡単な説明】
【００２２】
【図１】有価物容器を簡単に示す概略断面図である。
【符号の説明】
【００２３】
１  有価物容器
２  内室
３  ベース容器
４  蓋
５，６  収容チャンバ
７  液体
８  壁
９  ウェブ
１０  内部中空室
１１  内部中空室
１２  壁
１３  測定／制御コンピュータ
１４  起振装置
１５  センサ
１６  発破装置
１７  壁
【図１】
2007520652.tif 000003
【国際調査報告】
2007520652.tif 000004
2007520652.tif 000005
2007520652.tif 000006
2007520652.tif 000007
2007520652.tif 000008
2007520652.tif 000009
2007520652.tif 000010
2007520652.tif 000011
2007520652.tif 000012
2007520652.tif 000013